(57)【要約】【課題】ノズルの先端部にスクレーパーを設けることにより、窓枠のレール部、窓の溝部等の清掃が容易に行なえる掃除機の窓用ノズルを得る。【解決手段】掃除機の吸引ホースに着脱可能に接続される接続管（２）を設け、該接続管（２）の先端側に、先端に向かってテーパー状に縮小する角筒状のノズル（４）を設け、前記接続管（２）に外気の吸入量を調節する吸気調節具（３）を設け、前記ノズル（４）の先端部の幅を約５ｍｍ〜１０ｍｍにするとともに、該ノズル（４）の先端部の下面側に先方に向かって突出する板状のスクレーパー（５）を設ける。また、スクレーパー（５）は、ノズル（４）の先端部の下面側に着脱可能に設ける。【選択図】図１
2006136438.tif 000002
【特許請求の範囲】
【請求項１】
掃除機の吸引ホースに着脱可能に接続される接続管（２）を設け、該接続管（２）の先端側に、先端に向かってテーパー状に縮小する角筒状のノズル（４）を設け、前記接続管（２）に外気の吸入量を調節する吸気調節具（３）を設け、前記ノズル（４）の先端部の幅を約５ｍｍ〜１０ｍｍにするとともに、該ノズル（４）の先端部の下面側に先方に向かって突出する板状のスクレーパー（５）を設けたことを特徴とする掃除機の窓用ノズル。
【請求項２】
スクレーパー（５）は、ノズル（４）の先端部の下面側に着脱可能に設けたことを特徴とする請求項１記載の掃除機の窓用ノズル。
【発明の詳細な説明】
【技術分野】
【０００１】
本発明は、窓枠のレール部、窓の溝部等の清掃が容易に行なえる掃除機の窓用ノズルに関するものである。
【背景技術】
【０００２】
従来の技術として、掃除機の吸引ホースに着脱可能に接続される角筒状の基端ノズル管を設け、該基端ノズル管の先端側に、小断面積にした角筒状の先端ノズル管を摺動可能に嵌合させ、上記基端ノズル管の基部に電源を取り付け、先端ノズル管の先端部上面側に照明用の豆電球を取り付けるようにしたものがあった。
【０００３】
上記従来のものは、暗い狭幅部を照射し、塵埃の有無を確認しながら清掃することができる。しかしながら、先端ノズル管の吸引口が床面と面接触する如く、下面側から上面側に向かって鈍角で傾斜されており、該吸引口は固着物を剥離する機能がないものであった。このため、土ほこり、綿ほこり等が付着しやすいアルミサッシのレール部、窓の溝部等を清掃する際には、割り箸、楊枝等の小物で付着物を剥がし、この剥がしたものを先端ノズル管で吸引する必要があった。また、上記従来のものは、ノズル部に外気の吸入量を調節するものがないため、吸引口部の吸引量が大きくなり、清掃時に異音を発するものであった。
【特許文献１】特開平７−２５５６５０号公報
【発明の開示】
【発明が解決しようとする課題】
【０００４】
本発明は、ノズルの先端部にスクレーパーを設けることにより、窓枠のレール部、窓の溝部等の清掃が容易に行なえる掃除機の窓用ノズルを得ることを目的とする。
【課題を解決するための手段】
【０００５】
請求項１に係る発明は、掃除機の吸引ホースに着脱可能に接続される接続管を設け、該接続管の先端側に、先端に向かってテーパー状に縮小する角筒状のノズルを設け、前記接続管に外気の吸入量を調節する吸気調節具を設け、前記ノズルの先端部の幅を約５ｍｍ〜１０ｍｍにするとともに、該ノズルの先端部の下面側に先方に向かって突出する板状のスクレーパーを設ける構成にしたものである。
請求項２に係る発明は、前記スクレーパーをノズルの先端部の下面側に着脱可能に設けるようにしたものである。
【発明の効果】
【０００６】
請求項１に係る発明は、ノズルの先端部の幅を約５ｍｍ〜１０ｍｍとしたので、該ノズルの先端部を窓枠のレール部、窓の溝部等に嵌合させ、これらに沿って円滑に摺動させることができる。この場合、上記レール部、溝部に土ほこり、綿ほこり等が付着している際には、これらの付着物をノズルに設けたスクレーパーにより迅速に剥離することができる。この剥離された付着物は、ノズルによって直ちに吸引除去されることになる。
請求項２に係る発明は、スクレーパーが磨耗あるいは損傷した際に、新規のスクレーパーと取替えることができる。また、付着物がペンキ、あるいは錆び等の如く強固な場合は、これに対応したスクレーパーに交換することができる。
【発明を実施するための最良の形態】
【０００７】
以下本発明の実施の形態を図面に基いて説明する。図面において、図１は本発明の実施例を示す斜視図、図２は本発明の使用状態を示す拡大断面図、図３は図２の平面図、図４は他の実施例を示す図１相当の斜視図である。
【０００８】
図１〜図３において、１は窓用ノズルであり、接続管２、ノズル４を一体に有する。上記接続管２は、電気掃除機の吸引ホース（図示省略）に着脱可能に接続されるもので、大径のストレート状の胴部２ａの後部側（図１において右部側）に、後端側が縮小する接続用のテーパー管２ｂを一体に形成し、胴部２ａの先端部外周に環状のガイド溝２ｃを形成し、該ガイド溝２ｃの円周方向一箇所に外気導入孔２ｄを貫通形成してなる。
【０００９】
上記ガイド溝２ｃにリング状の空気調節具３を回転可能に嵌合させる。該空気調節具３は、プレートをＣ形に湾曲させるとともに、その開口部３ａの幅を外気導入孔２ｄの直径に略対応させてなり、該開口部３ａにより上記外気導入孔２ｄの開度を調節して接続管２への外気導入量を調節する。
【００１０】
上記接続管２の先端側（図１において左端部）に角筒状のノズル４を連通させて固定する。該ノズル４は、図１に示すように、接続管２の軸心に対して所定角度、例えば約３０度下方に傾斜させる。また、先端（図１において左方）に向かってテーパー状に縮小させるとともに、下面側が広幅となる断面台形にする。上記ノズル４の先端部の左右幅は、図３に示すように、アルミサッシのレール部８の狭隘溝部８ａに遊嵌する如く、約５ｍｍ〜１０ｍｍ、本例では約７ｍｍとする。また、ノズル４先端部の吸引口４ａは、図２に示すように、下面側から上面側に向かって鋭角で傾斜させ、下面の壁を舌片状に先方に突出させ、該突出部をスクレーパー５とする。
【００１１】
なお、上記スクレーパー５は、図４に示すように、ノズル４とは別体とし、これをビス６等によりノズル４先端部の下面に着脱可能に取り付けるようにしてもよい。
【００１２】
上記実施例によれば、ノズル４の先端部の幅をレール部８の狭隘溝部８ａに遊嵌する小幅とし、該先端部の下面側に先方に向かって突出するスクレーパー５を設けたので、窓部の狭隘な溝部８ａに付着した土ほこり、綿ほこり等の付着物９を上記スクレーパー５で容易勝迅速に剥離することができ、また、この剥離された付着物９をノズル４によって直ちに吸引除去することになる。また、空気調節具３を操作して外気導入孔２ｄの開度を調節することにより、ノズル４の吸引口４ａの吸引力を調節してこの部から発する吸気音を必要最小限に低減させることができる。これにより、窓枠のレール部８、窓の溝部等の清掃が迅速かつ容易に行なえることになる。
【００１３】
また、スクレーパー５をノズル４と別体にしてノズル４に着脱可能に取り付けるようにしたので、スクレーパー５が磨耗、損傷した際に、新規のものと交換して窓用ノズル１の寿命を延引させることができるとともに、ペンキ、あるいは錆び等のように、強固な付着物９に対しては、これに対応した強度の高いスクレーパーを取り付けることにより、上記強固な付着物９を容易に除去することができる。
【図面の簡単な説明】
【００１４】
【図１】本発明の実施例を示す斜視図である。
【図２】本発明の使用状態を示す拡大断面図である。
【図３】図２の平面図である。
【図４】他の実施例を示す図１相当の斜視図である。
【符号の説明】
【００１５】
１    窓用ノズル
２    接続管
２ａ  胴部
２ｂ  テーパー管
２ｃ  ガイド溝
２ｄ  外気導入孔
３    吸気調節具
３ａ  開口部
４    ノズル
４ａ  吸引口
５    スクレーパー
６    ビス
８    レール部
８ａ  狭隘な溝部
９    付着物
【図１】
2006136438.tif 000003
【図２】
2006136438.tif 000004
【図３】
2006136438.tif 000005
【図４】
2006136438.tif 000006